(57)【要約】【課題】設置時における板バネと造営材との干渉を抑制でき、かつ、器具本体の造営材に対する配置位置の自由度を高めることができる照明器具を提供する。【解決手段】造営材９００に設けられた開孔に取り付けられる照明器具１であって、光源３０と、光源３０が配置される凹部１９を有する器具本体１０と、凹部１９の開口部１９ａに配置される取付台２０であって、光源３０の光軸Ｊと交差する方向に貫通する第一穴２２が形成された取付台２０と、第一穴２２に対応する位置に配置され、光軸Ｊと交差する方向に貫通する第二穴６２が形成され、造営材９００に当接する当接面８５を有する枠体６と、一端９１が枠体６に取り付けられ、造営材９００に枠体６を固定する複数の板バネ９０と、第一穴２２と第二穴６２とを貫通する軸部材６６０とを備え、第一穴２２及び第二穴６２の少なくとも一方は、当接面８５に平行な平面と交差する方向に延びる長穴である。【選択図】図８
2017220361.tif 000002
【特許請求の範囲】
【請求項１】
造営材に設けられた開孔に取り付けられる照明器具であって、
光源と、
前記光源が配置される凹部を有する器具本体と、
前記凹部の開口部に配置される取付台であって、前記光源の光軸と交差する方向に貫通する第一穴が形成された取付台と、
前記第一穴に対応する位置に配置され、前記光軸と交差する方向に貫通する第二穴が形成され、前記造営材に当接する当接面を有する枠体と、
一端が前記枠体に取り付けられ、前記造営材に前記枠体を固定する複数の板バネと、
前記第一穴と前記第二穴とを貫通する軸部材とを備え、
前記第一穴及び前記第二穴の少なくとも一方は、前記当接面に平行な平面と交差する方向に延びる長穴である
照明器具。
【請求項２】
前記取付台は、前記第一穴及び前記第二穴を貫通する方向に延びる軸を回転軸として、前記枠体に対して回転自在に取り付けられる
請求項１に記載の照明器具。
【請求項３】
前記取付台は、前記第一穴及び前記第二穴を貫通する方向に交差する方向に延びる軸を回転軸として、前記枠体に対して回転自在に取り付けられる
請求項２に記載の照明器具。
【請求項４】
前記取付台は、光軸を囲む筒状の形状を有し、
前記取付台の前記枠体に近い側の端部には、切り欠き部が形成されている
請求項２又は３に記載の照明器具。
【請求項５】
前記取付台は、前記光軸に垂直な方向の寸法が、前記器具本体の前記取付台に近い側の端部より小さいくびれ部を有し、
前記くびれ部は、前記取付台における前記板バネの他端を配置できる位置に設けられる
請求項１〜４のいずれか１項に記載の照明器具。
【請求項６】
前記板バネの他端には、折り曲げ部が形成されている
請求項１〜５のいずれか１項に記載の照明器具。
【発明の詳細な説明】
【技術分野】
【０００１】
本発明は、板バネを用いて造営材に取り付けられる照明器具に関する。
【背景技術】
【０００２】
従来、照明器具として、例えば、ダウンライトのように天井板等の造営材に埋め込み配設されて鉛直方向下向きに光を照射する天井埋込型の照明器具等が知られている。
【０００３】
この種の照明器具は、光源と、光源を収容する器具本体と、造営材に開孔の周縁に配置される環状の枠体と、一端が枠体に取り付けられた複数の板バネとを備える（例えば特許文献１など参照）。
【０００４】
このような照明器具を、造営材に設置する際には、造営材に形成された開孔に、器具本体とともに板バネの固定されていない側の端部（以下、「自由端」とも呼ぶ。）を挿入する。板バネの自由端を開孔に挿入する際には、自由端が造営材と干渉することを抑制するために、板バネを弾性変形させることによって、自由端を器具本体の側面に近づける。さらに、特許文献１に記載の照明器具においては、器具本体と枠体との間に板バネの自由端を配置できるくびれ部を設けている。くびれ部においては、器具本体より、光源の光軸に垂直な方向の寸法が小さい。これにより、特許文献１に開示された照明器具においては、自由端と造営材との干渉をより一層抑制しようとしている。
【先行技術文献】
【特許文献】
【０００５】
【特許文献１】特開２０１６−９１９５５号公報
【発明の概要】
【発明が解決しようとする課題】
【０００６】
特許文献１に開示された照明器具においては、板バネの自由端と造営材との干渉を抑制できるが、器具本体と枠体との間にくびれ部を挿入することによって、器具本体と枠体との間の距離が大きくなる。このため、器具本体に収容された光源が、造営材から奥まった位置に配置される。したがって、光源から出射された光のうち、枠体から外部に出射される光の割合である光取出し効率が低下する。
【０００７】
そこで、本発明は、板バネを用いて造営材に設けられた開孔に取り付けられる照明器具であって、設置時における板バネと造営材との干渉を抑制でき、かつ、器具本体の造営材に対する配置位置の自由度を高めることができる照明器具を提供することを目的とする。
【課題を解決するための手段】
【０００８】
上記目的を達成するために、本発明に係る照明器具の一態様は、造営材に設けられた開孔に取り付けられる照明器具であって、光源と、前記光源が配置される凹部を有する器具本体と、前記凹部の開口部に配置される取付台であって、前記光源の光軸と交差する方向に貫通する第一穴が形成された取付台と、前記第一穴に対応する位置に配置され、前記光軸と交差する方向に貫通する第二穴が形成され、前記造営材に当接する当接面を有する枠体と、一端が前記枠体に取り付けられ、前記造営材に前記枠体を固定する複数の板バネと、前記第一穴と前記第二穴とを貫通する軸部材とを備え、前記第一穴及び前記第二穴の少なくとも一方は、前記当接面に平行な平面と交差する方向に延びる長穴である。
【発明の効果】
【０００９】
本発明の一態様によれば、板バネを用いて造営材に設けられた開孔に取り付けられる照明器具であって、設置時における板バネと造営材との干渉を抑制でき、かつ、器具本体の造営材に対する配置位置の自由度を高めることができる照明器具を提供できる。
【図面の簡単な説明】
【００１０】
【図１】図１は、実施の形態に係る照明器具の外観を示す斜視図である。
【図２】図２は、実施の形態に係る照明器具の断面図である。
【図３】図３は、実施の形態に係る照明器具の分解斜視図である。
【図４】図４は、実施の形態に係る照明器具の器具本体と取付台との接続構成を示す分解斜視図である。
【図５】図５は、実施の形態に係る照明器具の取付台の構成を示す側面図である。
【図６】図６は、実施の形態に係る接続部材の構成を示す側面図である。
【図７】図７は、実施の形態に係る板バネに詳細構成を示す斜視図である。
【図８】図８は、実施の形態に係る照明器具の一部を造営材の開孔にされた状態を示す断面図である。
【図９】図９は、実施の形態に係る照明器具の造営材の開孔への挿入が完了した状態を示す断面図である。
【図１０】図１０は、実施の形態に係る照明器具の器具本体を枠体に近い位置に配置した状態を示す断面図である。
【図１１】図１１は、実施の形態に係る照明器具の器具本体を枠体から遠い位置に配置して光出射方向を傾斜させた状態を示す断面図である。
【図１２】図１２は、実施の形態に係る照明器具の器具本体を枠体から近い位置に配置して光出射方向を傾斜させた状態を示す断面図である。
【発明を実施するための形態】
【００１１】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．全体構成］
まず、実施の形態に係る照明器具１の全体構成について、図面を用いて説明する。
【００１４】
図１は、本実施の形態に係る照明器具１の外観を示す斜視図である。図２は、本実施の形態に係る照明器具１の断面図である。図２は、照明器具１の光軸Ｊを通る断面を示している。また、図２には、照明器具１が取り付けられる造営材９００も併せて示されている。図３は、本実施の形態に係る照明器具１の分解斜視図である。図４は、本実施の形態に係る照明器具１の器具本体１０と取付台２０との接続構成を示す分解斜視図である。
【００１５】
なお、各図において、光軸Ｊに平行な方向をＹ軸方向、光軸Ｊに垂直で互いに直交する２つの方向をＺ軸方向及びＸ軸方向としている。本実施の形態において、Ｙ軸方向は、鉛直方向である。図２は、ＸＹ平面に平行で、かつ、光軸Ｊを通る断面を示している。
【００１６】
図１及び図２に示す照明器具１は、例えば建物の天井板等の造営材９００に埋め込み配設されることにより下方（床や壁等）に光を照明するダウンライト等の埋込型照明器具である。本実施の形態では、照明器具１は、造営材９００に対して光軸方向を傾斜させることができる、いわゆるユニバーサルダウンライトである。
【００１７】
図１及び図２に示されるように、照明器具１は、主に、器具本体１０と、取付台２０と、枠体６と、複数の板バネ９０と、一対の軸部材６６０とを備える。また、図２に示されるように、照明器具１は、器具本体１０に収容される光源３０と、反射部材４０と、光学部材５０とをさらに備える。以下、照明器具１の各構成要素について説明する。
【００１８】
［１−１．器具本体］
器具本体１０は、図２に示すように、光源３０が配置される凹部１９を有する有底筒状の部材である。器具本体１０は、凹部１９の内部に光源３０を収容する。本実施の形態では、器具本体１０は、光源取付台１２と、筒状部１３とを備える。
【００１９】
光源取付台１２は、光源３０が取り付けられる取付台であり、有底筒状の器具本体１０の底部を形成する。光源取付台１２は、光源３０から発せられた熱を放散するヒートシンクとしても機能する。したがって、光源取付台１２は、金属材料等の熱伝導率の高い材料によって構成されているとよい。光源取付台１２は、例えばアルミニウムからなるアルミダイカスト製である。
【００２０】
光源取付台１２の図２における下側の面に光源３０が配置される。光源取付台１２は図２における上側に、放熱用の複数のフィン１１を有する。これにより、光源３０から発せられた熱が、複数のフィン１１によって放散されるため、光源３０の温度上昇を抑制することができる。
【００２１】
図１及び図２に示される筒状部１３は、光源取付台１２の周縁に形成された筒状の部分である。筒状部１３を形成する材料は特に限定されない。筒状部１３は、例えば光源取付台１２と一体的にアルミニウムなどで形成される。
【００２２】
器具本体１０は、図３及び図４に示されるように、筒状部１３の取付台２０側の端部に取付部１５及び１７を備える（取付部１５については図３を、取付部１７については図４を参照）。取付部１５及び１７は、器具本体１０に取付台２０を取り付けるための部分である。本実施の形態では、取付部１５及び１７は、筒状部１３から、光軸Ｊに略平行な方向に延びる板状の部分である。取付部１５には、貫通穴１６が形成されている。取付部１７には、切り欠き部１８が形成されている。
【００２３】
［１−２．取付台］
取付台２０について、図２〜図４と併せて図５も用いて説明する。
【００２４】
図５は、本実施の形態に係る照明器具１の取付台２０の構成を示す側面図である。
【００２５】
図２に示されるように、取付台２０は、器具本体１０と枠体６とを接続する部材であり、器具本体１０の凹部１９の開口部１９ａに配置される。本実施の形態では、取付台２０は、図３及び図４に示されるように筒状の形状を有し、図３〜図５に示されるように、くびれ部２１と本体側端部２５とを有する。また、取付台２０には、光源３０の光軸Ｊと交差する方向に貫通する一対の第一穴２２が形成されている。さらに、取付台２０の本体側端部２５付近には、取り付けピン２６及びねじ穴２８（図４参照）が形成されている。
【００２６】
くびれ部２１は、光軸Ｊに垂直な方向の寸法が、器具本体１０の取付台２０に近い側の端部より小さい部分である。本実施の形態では、くびれ部２１は筒状の形状を有し、くびれ部２１の枠体６側の端部には、一対の第一穴２２及び切り欠き部２４が形成されている。切り欠き部２４は、取付台２０の枠体６に近い側の端部に形成された部分であり、筒状の部材の端部を斜めに切り欠いたような形状を有する部分である。切り欠き部２４は、くびれ部２１における一対の第一穴２２の間に形成される。これにより、取付台２０及び器具本体１０を一対の軸部材６６０を中心に回転させる際に、取付台２０と枠体６との間の干渉を低減できる。なお、切り欠き部２４の形成方法は特に限定されない。切り欠き部２４は、例えば、円筒形の部材を切り欠いて形成されてもよいし、ダイカストなどによって成形されてもよい。
【００２７】
一対の第一穴２２は、光源の光軸Ｊと交差する方向に貫通する貫通穴である。本実施の形態では、一対の第一穴２２は、枠体６における造営材９００に当接する当接面８５に平行な平面と交差する方向に延びる長穴であり、くびれ部２１における対向する位置に形成されている。本実施の形態では、一対の第一穴２２は、光軸Ｊに平行な方向（当接面８５に垂直な方向）に延びる長穴であるが、一対の第一穴２２の延びる方向は、当接面８５に平行な平面と交差する方向であれば光軸Ｊに平行でなくてもよい。例えば、一対の第一穴２２は、くびれ部２１の表面に沿ってらせん状に延びてもよい。
【００２８】
本体側端部２５は、取付台２０の器具本体１０側の端部である。本実施の形態では、本体側端部２５は、器具本体１０の開口部１９ａと同等の径を有する円環状の部分であり、器具本体１０に取り付けられる。本体側端部２５は、くびれ部２１より径が大きい。
【００２９】
取り付けピン２６は、取付台２０を器具本体１０に固定するためのピンである。取り付けピン２６は、器具本体１０の取付部１５に形成された貫通穴１６に挿入される。
【００３０】
図４に示されるねじ穴２８は、器具本体１０を取付台２０に固定するための穴である。ねじ穴２８には、ねじ２９が捻じ込まれる。
【００３１】
器具本体１０を取付台２０に固定する際には、まず、取付台２０の取り付けピン２６を器具本体１０の貫通穴１６に挿入する。続いて、取り付けピン２６を貫通穴１６に挿入したままで、器具本体１０の取付部１７の切り欠き部１８を、取付台２０のねじ穴２８の位置に配置する。そして、ねじ２９をねじ穴２８に捻じ込む。これにより、ねじ２９と取付台２０とによって取付部１７が挟持される。一方、取り付けピン２６は、貫通穴１６に挿入された状態に維持される。つまり、器具本体１０は取付台２０に固定される。
【００３２】
取付台２０を形成する材料は特に限定されない。取付台２０は、例えば、アルミニウムなどの金属材料で形成される。
【００３３】
［１−３．枠体］
枠体６は、図２に示されるように、造営材９００に取り付けられる部材である。枠体６には、複数の板バネ９０が固定される。枠体６と板バネ９０とによって造営材９００を挟持することによって、照明器具１を造営材９００に固定できる。本実施の形態では、枠体６は、接続部材６０と、係止部材７０と、固定部材８０とを有する。図３に示されるように、枠体６の接続部材６０には、一対の第二穴６２が形成される。本実施の形態では、一対の第二穴６２は、取付台２０に形成された一対の第一穴２２の各々に対応する位置に配置され、光軸Ｊと交差する方向に貫通する一対の貫通穴である。また、枠体６は、造営材９００に当接する当接面８５を有する。
【００３４】
本実施の形態では、一対の第二穴６２は、円形の貫通穴であるが、一対の第二穴６２も、一対の第一穴２２と同様の長穴であってもよい。一対の第一穴２２及び一対の第二穴６２の少なくとも一方が、当接面８５に平行な平面と交差する方向に延びる長穴であればよい。取付台２０と枠体６とは、第一穴２２及び第二穴６２を貫通させた軸部材６６０によって締結される。これにより、枠体６と取付台２０及び器具本体１０との間の距離を調整することができる。つまり、器具本体１０の枠体６及び造営材９００に対する配置位置の自由度を高めることができる。
【００３５】
枠体６を形成する材料は特に限定されない。枠体６は、例えばアルミニウムなどの金属材料で形成される。
【００３６】
［１−３−１．係止部材］
係止部材７０は、接続部材６０及び複数の板バネ９０を係止する部材である。本実施の形態では、係止部材７０は、図３に示されるように円環状の形状を有する。係止部材７０は、環状部７１と、二つの舌状部７２とを有する。
【００３７】
環状部７１は、係止部材７０の円環板状の部分であり、接続部材６０を係止する。環状部７１の周縁部には四つの凹部が形成されており、これら四つの凹部の各々を介して四本のねじ８８を固定部材８０に形成されたねじ穴８３に捻じ込むことにより、係止部材７０が固定部材８０に固定される。環状部７１と固定部材８０とによって接続部材６０が挟持されることにより、接続部材６０は、係止部材７０及び固定部材８０に係止される。本実施の形態では、ねじ８８の締め付け強度を調整することにより、接続部材６０が、第一穴２２及び第二穴６２を貫通する方向に交差する方向に延びる軸を回転軸として、枠体６に対して回転自在に係止される。したがって、接続部材６０に取り付けられた、取付台２０（及び器具本体１０）も当該軸を回転軸として、枠体６に対して回転自在である。本実施の形態では、接続部材６０は、光軸Ｊを回転軸として、枠体６に対して回転自在である。なお、本実施の形態に係る照明器具１では、取付台２０は、第一穴２２及び第二穴６２を貫通する方向に延びる軸を回転軸として（つまり軸部材６６０を回転軸として）、枠体６に対して回転自在であるため、光軸Ｊは変動し得る。このような照明器具１においては、変動し得る光軸Ｊのうち、いずれかの光軸Ｊを回転軸として、接続部材６０及び取付台２０が回転自在であればよい。また、接続部材６０及び取付台２０の構成はこれに限定されない。接続部材６０及び取付台２０は、光軸Ｊに平行な軸を回転軸として回転自在であればよい。
【００３８】
二つの舌状部７２は、板バネ９０を係止する部分である。各舌状部７２には、板バネ９０の端部を係止するバネ係止部７３が形成されている。本実施の形態では、バネ係止部７３はスリットであり、バネ係止部７３に板バネ９０の一端を差し込むことにより、板バネ９０がバネ係止部７３に係止される。
【００３９】
［１−３−２．固定部材］
固定部材８０は、照明器具１を造営材９００に固定するための部材である。接続部材６０及び複数の板バネ９０を係止する部材である。上述のとおり、固定部材８０には、係止部材７０が固定され、固定部材８０と係止部材７０との間に接続部材６０が挟持される。
【００４０】
図３に示されるように、固定部材８０は、セード部８１と、鍔部８２とを有する。
【００４１】
セード部８１は、光源３０からの出射光の一部を反射する部分である。セード部８１は、筒状の形状を有し、内面において光源３０からの出射光の一部を反射する。セード部８１の器具本体１０側の端面には、四本のねじ８８を捻じ込むためのねじ穴８３が形成されている。
【００４２】
鍔部８２は、図２に示されるように造営材９００に配置される部分である。鍔部８２と板バネ９０とで造営材９００を挟持することにより、照明器具１は、造営材９００に固定される。鍔部８２は、セード部８１の器具本体１０から遠い側の端部に配置される円環板状の部分である。鍔部８２は、造営材９００に当接する当接面８５を有する。
【００４３】
［１−３−３．接続部材］
接続部材６０について、図２及び図３と併せて図６も用いて説明する。
【００４４】
図６は、本実施の形態に係る接続部材６０の構成を示す側面図である。
【００４５】
接続部材６０は、取付台２０に接続される部材である。接続部材６０は、筒状部６１と鍔部６３とを有する。
【００４６】
筒状部６１は、一対の第二穴６２が形成された筒状の部分である。本実施の形態では、筒状部６１は、図２及び図３に示されるように、光軸Ｊを囲む円筒状の形状を有する。また、筒状部６１には、切り欠き部６４が形成されている。切り欠き部６４は、図３及び図４に示されるように、円筒形の部材の端部を斜めに切り欠いたような形状を有する部分である。切り欠き部６４は、筒状部６１における一対の第二穴６２の間に形成される。これにより、取付台２０を一対の軸部材６６０を回転軸として回転させる際に、取付台２０と接続部材６０との間の干渉を低減できる。なお、切り欠き部６４の形成方法は特に限定されない。切り欠き部６４は、例えば、円筒形の部材を切り欠いて形成されてもよいし、ダイカストなどによって成形されてもよい。
【００４７】
鍔部６３は、固定部材８０と係止部材７０との間に挟まれる部分である。本実施の形態では、鍔部６３は、筒状部６１の器具本体１０から遠い方の端部に配置される円環板状の部分である。
【００４８】
［１−４．板バネ］
板バネ９０について、図１と併せて図７も用いて説明する。
【００４９】
図７は、本実施の形態に係る板バネ９０に詳細構成を示す斜視図である。
【００５０】
板バネ９０は、造営材９００に形成された開孔に照明器具１を取り付けるための弾性部材である。板バネ９０は、長尺板状の弾性部材を折り曲げて形成される。板バネ９０の各々の一端９１が枠体６に取り付けられ、造営材９００に枠体６を固定する。
【００５１】
板バネ９０は、図７に示されるように、一端９１と、他端９２とを有する。
【００５２】
一端９１は、枠体６の係止部材７０に取り付けられる部分である。板バネ９０は、図１に示されるように、一端９１が係止部材７０のバネ係止部７３に係止されることによって、枠体６に取り付けられる。一端９１には、図７に示されるように係止爪９４が形成されている。係止爪９４は、係止部材７０のバネ係止部７３に一端９１を係止するための部分である。
【００５３】
他端９２は、造営材９００に配置される部分である。本実施の形態では、他端９２に、折り曲げ部９３が形成されている。これにより、造営材９００から板バネ９０が外れて、照明器具１が落下することを抑制できる。また、折り曲げ部９３を造営材９００の上面（図２の上側の面）に引っかけることによって、照明器具１を造営材９００に一時的に吊るすことができる。
【００５４】
板バネ９０を形成する材料は、弾性材料であれば特に限定されない。板バネ９０は、例えば、鋼材などの金属材料で形成される。
【００５５】
［１−５．軸部材］
軸部材６６０は、第一穴２２及び第二穴６２を貫通する棒状の部材である。本実施の形態では、軸部材６６０はボルトである。軸部材６６０は、ナット６６４によって固定される。また、本実施の形態では、ナット６６４と併せて座金６６１、６６２及び６６３が用いられる。座金６６３として、例えば、バネ座金、歯付き座金などの緩み抑制機能を有する座金を用いてもよい。
【００５６】
具体的には、軸部材６６０は、座金６６１に挿入された状態で、取付台２０の第一穴２２及び枠体６の第二穴６２の順に挿入される。続いて、軸部材６６０の第二穴６２を貫通した部分に座金６６２及び６６３が挿入される。そして最後に、ナット６６４に軸部材６６０が捻じ込まれる。これにより、取付台２０と枠体６とが取り付けられる。本実施の形態では、一対の軸部材６６０がほぼ同一直線上に配置される。これにより、取付台２０は、枠体６に対して、第一穴２２及び第二穴６２を貫通する方向に延びる軸を回転軸として（つまり、一対の軸部材６６０を回転軸として）、回転自在に取り付けられる。また、枠体６に対する取付台２０の回転角度を自在に調整でき、かつ、当該回転角度が、取付台２０などの自重によって変動することのないように、軸部材６６０及びナット６６４の締め付け強度を調整することができる。これにより、一旦、軸部材６６０及びナット６６４の締め付け強度を調整しておけば、当該回転角度を調整する度毎に、当該締め付け強度を調整する必要がない。
【００５７】
軸部材６６０及びナット６６４を形成する材料は特に限定されない。軸部材６６０及びナット６６４は、例えばステンレスなどの金属材料で形成される。
【００５８】
［１−６．光源］
図２に示される光源３０は、発光モジュールであって、所定の光を放射状に出射する光源である。本実施の形態では、光源３０は、ＬＥＤ（Ｌｉｇｈｔ  Ｅｍｉｔｔｉｎｇ  Ｄｉｏｄｅ）を有する発光モジュールである。光源３０は、例えば白色光を出射するように構成されている。光源３０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数の青色ＬＥＤと、それら青色ＬＥＤを封止し、黄色蛍光体を含む封止部材とを備える。
【００５９】
光源３０に用いられる基台は、複数のＬＥＤを実装するための実装基板であって、例えばセラミックス基板、樹脂基板又は絶縁被覆されたメタルベース基板などである。また、基台は、例えば平面視において矩形状である平面を有する板材である。基台は、底面（Ｙ軸方向正側の面）を器具本体１０の光源取付台１２に向けて固定される。なお、基台には、ＬＥＤを発光させるための直流電力を外部から受電するための一対の電極端子（正電極端子及び負電極端子）が形成されている（不図示）。
【００６０】
以上のように構成される光源３０は、器具本体１０の凹部１９に配置される。本実施の形態において、光源３０は、器具本体１０の光源取付台１２の図２における下側に固定されている。
【００６１】
［１−７．反射部材］
図２に示される反射部材４０は、光源３０からの光の配光を制御する部材である。本実施の形態では、反射部材４０は、光源３０からの光を光学部材５０に向けて反射させる。
【００６２】
反射部材４０は、図２に示すように、光源３０からの光が入射される側（Ｙ軸方向正側）の端部から、当該光が出射される側の端部に向かって内径が漸次大きくなるように構成された筒状の形状を有する。反射部材４０の内面において、光源３０からの光が反射される。
【００６３】
反射部材４０は、例えばポリブチレンテレフタレート（ＰＢＴ）など硬質の白色樹脂材料を用いて形成されることができる。なお、反射部材４０は、内面にアルミニウムなどの金属膜が設けられてもよい。
【００６４】
［１−８．光学部材］
図２に示される光学部材５０は、反射部材４０からの光が入射される透光性の部材である。光学部材５０は、反射部材４０から入射した光の配光を制御して出射する機能を有してもよい。本実施の形態では、光学部材５０は円板状のフレネルレンズである。光学部材５０は、反射部材４０からの光を集光し、略円形の断面を有する光を出射する。
【００６５】
光学部材５０は、透光性材料を用いて形成されており、例えばアクリル、ポリカーボネート（ＰＣ）などの透明樹脂材料、又は、ガラス材料などの透明材料を用いて形成することができる。
【００６６】
［２．使用態様］
次に、本実施の形態に係る照明器具１の使用態様について図面を用いて説明する。
【００６７】
図８は、本実施の形態に係る照明器具１の一部を造営材９００の開孔にされた状態を示す断面図である。図８においては、板バネ９０の折り曲げ部９３が造営材９００の開孔内に位置するときの断面図が示されている。図９は、本実施の形態に係る照明器具１の造営材９００の開孔への挿入が完了した状態を示す断面図である。
【００６８】
照明器具１を造営材９００の開孔に挿入する場合には、図８に示されるように、枠体６と器具本体１０との距離を大きくする。つまり、枠体６の第一穴２２の器具本体１０から遠い側の端部に軸部材６６０が配置される。これにより、器具本体１０側に近づけられた板バネ９０の折り曲げ部９３を取付台２０のくびれ部２１に配置することができる。つまり、図８に示されるように、板バネ９０の折り曲げ部９３を造営材９００と干渉しない位置に配置することができる。そして、図８に示される状態にある照明器具１をさらに造営材９００の開孔に挿入して（つまり、照明器具１を図８の上向きに移動させて）、図９に示される位置に照明器具１を配置する。なお、板バネ９０の折り曲げ部９３は、造営材９００を通過した後は、造営材９００の上面（図９における上側の面）に配置される。
【００６９】
以上のように、照明器具１を造営材９００の開孔に配置することができる。ただし、図９に示される状態では、器具本体１０から枠体６までの距離が大きい。つまり、器具本体１０及び光源３０から造営材９００までの距離が大きい。このため、図９に示されるように、照明器具１の遮光角Ａ１が比較的小さい。したがって、光源３０から出射された光のうち、枠体６から出射されない光の割合が大きい。つまり、図９に示される照明器具１においては、光取出し効率が低い。
【００７０】
しかしながら、照明器具１においては、器具本体１０の枠体６及び造営材９００に対する配置位置を調整することによって、光取出し効率を高めることができる。以下、照明器具１において光取出し効率を高められる器具本体１０の配置について図面を用いて説明する。
【００７１】
図１０は、本実施の形態に係る照明器具１の器具本体１０を枠体６に近い位置に配置した状態を示す断面図である。
【００７２】
図１０に示されるように、照明器具１の軸部材６６０を、第一穴２２の器具本体１０に近い側の端部にされる。これによって、器具本体１０が枠体６及び造営材９００に近い位置に配置される。したがって、図１０に示されるように、照明器具１の遮光角Ｂ１を図９に示される遮光角Ａ１より大きくすることができる。つまり、照明器具１の光取出し効率を高めることができる。また、図１０に示される状態では、取付台２０と枠体６との間の隙間が、図９に示される状態より狭い。したがって、図１０に示される状態では、取付台２０と枠体６との間の隙間から造営材９００の裏側の空間が見えることを抑制できる。
【００７３】
本実施の形態に係る照明器具１においては、軸部材６６０を回転軸として取付台２０及び器具本体１０を回転させることによって、光出射方向を傾斜させることができる。以下では、光出射方向を傾斜させる使用態様について図面を用いて説明する。
【００７４】
図１１は、本実施の形態に係る照明器具１の器具本体１０を枠体６から遠い位置に配置して光出射方向を傾斜させた状態を示す断面図である。図１２は、本実施の形態に係る照明器具１の器具本体１０を枠体６から近い位置に配置して光出射方向を傾斜させた状態を示す断面図である。
【００７５】
図１１及び図１２に示されるように、本実施の形態に係る照明器具１では、軸部材６６０を回転軸として、枠体６に対して取付台２０及び器具本体１０を回転させることによって、光出射方向（光軸Ｊ）を枠体６及び造営材９００に対して傾斜させることができる。
【００７６】
図１１に示される照明器具１の状態では、器具本体１０は、枠体６から遠い位置に配置されているため、上記図９に示される状態と同様に遮光角Ａ２及びＡ３が小さい。なお、図１１に示される遮光角Ａ２及びＡ３は、それぞれ図１１に示される状態における照明器具１の最大遮光角及び最小遮光角を示す。
【００７７】
一方、図１２に示される照明器具１の状態では、図１１に示される照明器具１の状態より、器具本体１０が枠体６に比較的近い位置に配置されるため、最大遮光角Ｂ２及び最小遮光角Ｂ３がそれぞれ図１１に示される最大遮光角Ａ２及び最小遮光角Ａ３より大きい。したがって、図１２に示される照明器具１の状態においては、図１１に示される照明器具１の状態より、光取出し効率が高い。
【００７８】
また、図１２に示される状態では、取付台２０と枠体６との間の隙間が、図１１に示される状態より狭い。したがって、図１２に示される状態では、取付台２０と枠体６との間の隙間から造営材９００の裏側の空間が見えることを抑制できる。
【００７９】
［３．まとめ］
以上のように、本実施の形態に係る照明器具１は、光源３０と、光源３０が配置される凹部１９を有する器具本体１０と、凹部１９の開口部１９ａに配置される取付台２０であって、光源３０の光軸Ｊと交差する方向に貫通する第一穴２２が形成された取付台２０とを備える。照明器具１は、さらに、第一穴２２に対応する位置に配置され、光軸Ｊと交差する方向に貫通する第二穴６２が形成され、造営材９００に当接する当接面８５を有する枠体６と、一端９１が枠体６に取り付けられ、造営材９００に枠体６を固定する複数の板バネ９０と、第一穴２２と第二穴６２とを貫通する軸部材６６０とを備える。ここで、第一穴２２及び第二穴６２の少なくとも一方は、当接面８５に平行な平面と交差する方向に延びる長穴である。
【００８０】
これにより、軸部材６６０の長穴における位置を調整できるため、器具本体１０の枠体６に対する配置位置の自由度を高めることができる。したがって、例えば、器具本体１０を枠体６に近づけることで、照明器具１の光取出し効率を高めることができる。
【００８１】
また、照明器具１において、取付台２０は、第一穴２２及び第二穴６２を貫通する方向に延びる軸を回転軸として、枠体６に対して回転自在に取り付けられてもよい。
【００８２】
これにより、照明器具１の枠体６に対する光軸Ｊの向きを傾斜させることができる。
【００８３】
また、照明器具１において、取付台２０は、第一穴２２及び第二穴６２を貫通する方向に交差する方向に延びる軸を回転軸として、枠体６に対して回転自在に取り付けられてもよい。
【００８４】
これにより、照明器具１の枠体６に対する光軸Ｊの向きを傾斜させた場合に、さらに、光軸Ｊの方向を回転させることができる。
【００８５】
また、照明器具１において、取付台２０は、光軸Ｊを囲む筒状の形状を有し、取付台２０の枠体６に近い側の端部には、切り欠き部２４が形成されていてもよい。
【００８６】
これにより、照明器具１の枠体６に対する光軸Ｊの向きを傾斜させた場合に、枠体６と取付台２０とが干渉することを抑制できる。
【００８７】
また、照明器具１において、取付台２０は、光軸Ｊに垂直な方向の寸法が、器具本体１０の取付台２０に近い側の端部における光軸Ｊに垂直な方向の寸法より小さいくびれ部２１を有し、くびれ部２１は、取付台２０における板バネ９０の他端９２を配置できる位置に設けられていてもよい。
【００８８】
これにより、照明器具１を造営材９００の開孔に挿入する際に、板バネ９０の他端９２をくびれ部２１に配置することによって、板バネ９０と造営材９００との干渉を抑制できる。
【００８９】
また、照明器具１において、板バネ９０の他端９２には、折り曲げ部９３が形成されていてもよい。
【００９０】
これにより、板バネ９０に折り曲げ部９３が形成されていることによって、折り曲げ部９３が造営材９００に引っ掛かるため、照明器具１が、造営材９００から落下することを抑制できる。また、照明器具１の設置時などに、折り曲げ部９３によって、照明器具１を造営材９００に吊り下げることができる。
【００９１】
（変形例など）
以上、本発明に係る照明器具について、実施の形態に基づいて説明したが、本発明は、上記実施の形態に限定されるものではない。
【００９２】
例えば、上記実施の形態に係る照明器具１では、取付台２０は、第一穴２２及び第二穴６２を貫通する方向に延びる軸を回転軸として枠体６に対して回転自在に取り付けられているが、取付台２０は、枠体６に対して回転自在に取り付けられていなくてもよい。
【００９３】
また、上記実施の形態に係る照明器具１では、器具本体１０と取付台２０とは別体とであるが、器具本体１０及び取付台２０の構成はこれに限定されない。器具本体１０と取付台２０とは一体的に形成されていてもよい。
【００９４】
また、上記実施の形態に係る照明器具１では、第一穴２２及び第二穴６２の少なくとも一方が長穴であるが、第一穴２２及び第二穴６２の少なくとも一方は、少なくとも当接面８５に平行な平面と交差する方向に延びる長穴部分を有すればよい。例えば、第一穴２２及び第二穴６２の少なくとも一方は、Ｌ字状の穴でもよい。
【００９５】
また、上記実施の形態に係る照明器具１では、取付台２０がくびれ部２１を有するが、くびれ部２１がなくとも、板バネ９０と造営材９００との干渉を抑制できるのであれば、取付台２０は、必ずしもくびれ部２１を有していなくてもよい。
【００９６】
また、上記実施の形態に係る照明器具１の板バネ９０は、折り曲げ部９３を有するが、板バネ９０は折り曲げ部９３を有していなくてもよい。
【００９７】
また、上記の実施の形態において、光源３０（ＬＥＤ光源）は基台上にＬＥＤチップを直接実装したＣＯＢ構造を有したが、これに限定されない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【００９８】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）素子や無機ＥＬ等のその他の固体発光素子を用いてもよい。
【００９９】
また、上記の実施の形態における照明器具１は、天井以外の造営材に設置されていてもよい。
【０１００】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０１】
１  照明器具
６  枠体
１０  器具本体
２４、６４  切り欠き部
１９  凹部
１９ａ  開口部
２０  取付台
２１  くびれ部
２２  第一穴
３０  光源
６２  第二穴
８５  当接面
９０  板バネ
９１  一端
９２  他端
９３  折り曲げ部
６６０  軸部材
９００  造営材
【図１】
2017220361.tif 000003
【図２】
2017220361.tif 000004
【図３】
2017220361.tif 000005
【図４】
2017220361.tif 000006
【図５】
2017220361.tif 000007
【図６】
2017220361.tif 000008
【図７】
2017220361.tif 000009
【図８】
2017220361.tif 000010
【図９】
2017220361.tif 000011
【図１０】
2017220361.tif 000012
【図１１】
2017220361.tif 000013
【図１２】
2017220361.tif 000014